【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
アクセスしてきた相手機器によるサービスおよび／またはインタフェースの呼び出しに応じて、前記サービスおよび／またはインタフェースによる処理結果を前記相手機器に送信する方法をコンピュータに実行させるサービス呼び出し支援プログラムであって、
複数の相手機器ごとに、各相手機器を一意に識別するための相手機器識別情報と、当該相手機器がアクセス時に呼び出す可能性の高いサービスおよび／またはインタフェースとを対応付けて保持するとともに、前記複数の相手機器の種別ごとに、各種別を一意に識別する機器種別識別情報と、当該種別の相手機器がアクセス時に呼び出す可能性の高いサービスおよび／またはインタフェースとを対応付けて保持する保持手順と、
前記相手機器がアクセスしてきた場合に、前記保持手順によって保持されたサービスおよび／またはインタフェースから、当該アクセスしてきた相手機器の相手機器識別情報に対応するサービスおよび／またはインタフェースを検索して起動し、当該相手機器の相手機器識別情報に対応付けられたサービスおよび／またはインタフェースがない場合には、前記保持手順によって保持されたサービスおよび／またはインタフェースから、当該アクセスしてきた相手機器の機器種別識別情報に対応するサービスおよび／またはインタフェースを検索して起動するサービス制御手順と、
前記サービス制御手順によって起動されたサービスおよび／またはインタフェースによる処理を前記相手機器から処理要求を受信する前に行い、当該サービスおよび／またはインタフェースによる処理結果を所定の記憶部に格納する先行処理手順と、
前記先行処理手順によって処理が行われたサービスおよび／またはインタフェースが前記相手機器から呼び出された場合には、前記記憶部に格納された処理結果を前記相手機器に送信する処理結果送信手順と、
をコンピュータに実行させることを特徴とするサービス呼び出し支援プログラム。
【請求項２】
前記サービス制御手順は、前記相手機器の相手機器識別情報に対応付けられたサービスおよび／またはインタフェースがある場合でも、前記相手機器識別情報との対応関係が作成されてから所定時間経過したものである場合には、前記機器種別識別情報に対応付けられたサービスおよび／またはインタフェースを検索して起動することを特徴とする請求項１に記載のサービス呼び出し支援プログラム。
【請求項３】
アクセスしてきた相手機器によるサービスおよび／またはインタフェースの呼び出しに応じて、前記サービスおよび／またはインタフェースによる処理結果を前記相手機器に送信する端末装置であって、
複数の相手機器ごとに、各相手機器を一意に識別するための相手機器識別情報と、当該相手機器がアクセス時に呼び出す可能性の高いサービスおよび／またはインタフェースとを対応付けて記憶するとともに、前記複数の相手機器の種別ごとに、各種別を一意に識別する機器種別識別情報と、当該種別の相手機器がアクセス時に呼び出す可能性の高いサービスおよび／またはインタフェースとを対応付けて記憶する記憶手段と、
前記相手機器がアクセスしてきた場合に、前記記憶手段によって記憶されたサービスおよび／またはインタフェースから、当該アクセスしてきた相手機器の相手機器識別情報に対応するサービスおよび／またはインタフェースを検索して起動し、当該相手機器の相手機器識別情報に対応付けられたサービスおよび／またはインタフェースがない場合には、前記記憶手段によって記憶されたサービスおよび／またはインタフェースから、当該アクセスしてきた相手機器の機器種別識別情報に対応するサービスおよび／またはインタフェースを検索して起動するサービス制御手段と、
前記サービス制御手段によって起動されたサービスおよび／またはインタフェースによる処理を先行して行い、当該サービスおよび／またはインタフェースによる処理結果を所定の記憶部に格納する先行処理手段と、
前記先行処理手段によって処理が先行して行われたサービスおよび／またはインタフェースが前記相手機器から呼び出された場合には、前記記憶部に格納された処理結果を前記相手機器に送信する処理結果送信手段と、
を備えたことを特徴とする端末装置。
【請求項４】
前記サービス制御手段は、前記相手機器の相手機器識別情報に対応付けられたサービスおよび／またはインタフェースがある場合でも、前記相手機器識別情報との対応関係が作成されてから所定時間経過したものである場合には、前記機器種別識別情報に対応付けられたサービスおよび／またはインタフェースを検索して起動することを特徴とする請求項３に記載の端末装置。
【手続補正２】
【補正対象書類名】明細書
【補正対象項目名】００１０
【補正方法】変更
【補正の内容】
【００１０】
上述した課題を解決し、目的を達成するため、本発明は、アクセスしてきた相手機器によるサービスおよび／またはインタフェースの呼び出しに応じて、前記サービスおよび／またはインタフェースによる処理結果を前記相手機器に送信する方法をコンピュータに実行させるサービス呼び出し支援プログラムであって、複数の相手機器ごとに、各相手機器を一意に識別するための相手機器識別情報と、当該相手機器がアクセス時に呼び出す可能性の高いサービスおよび／またはインタフェースとを対応付けて保持するとともに、前記複数の相手機器の種別ごとに、各種別を一意に識別する機器種別識別情報と、当該種別の相手機器がアクセス時に呼び出す可能性の高いサービスおよび／またはインタフェースとを対応付けて保持する保持手順と、前記相手機器がアクセスしてきた場合に、前記保持手順によって保持されたサービスおよび／またはインタフェースから、当該アクセスしてきた相手機器の相手機器識別情報に対応するサービスおよび／またはインタフェースを検索して起動し、当該相手機器の相手機器識別情報に対応付けられたサービスおよび／またはインタフェースがない場合には、前記保持手順によって保持されたサービスおよび／またはインタフェースから、当該アクセスしてきた相手機器の機器種別識別情報に対応するサービスおよび／またはインタフェースを検索して起動するサービス制御手順と、前記サービス制御手順によって起動されたサービスおよび／またはインタフェースによる処理を前記相手機器から処理要求を受信する前に行い、当該サービスおよび／またはインタフェースによる処理結果を所定の記憶部に格納する先行処理手順と、前記先行処理手順によって処理が行われたサービスおよび／またはインタフェースが前記相手機器から呼び出された場合には、前記記憶部に格納された処理結果を前記相手機器に送信する処理結果送信手順と、をコンピュータに実行させることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
本発明によれば、複数の相手機器ごとに、各相手機器を一意に識別するための相手機器識別情報と、当該相手機器がアクセス時に呼び出す可能性の高いサービスおよび／またはインタフェースとを対応付けて保持するとともに、複数の相手機器の種別ごとに、各種別を一意に識別する機器種別識別情報と、当該種別の相手機器がアクセス時に呼び出す可能性の高いサービスおよび／またはインタフェースとを対応付けて保持し、相手機器がアクセスしてきた場合に、保持したサービスおよび／またはインタフェースから、当該アクセスしてきた相手機器の相手機器識別情報に対応するサービスおよび／またはインタフェースを検索して起動し、当該相手機器の相手機器識別情報に対応付けられたサービスおよび／またはインタフェースがない場合には、保持したサービスおよび／またはインタフェースから、当該アクセスしてきた相手機器の機器種別識別情報に対応するサービスおよび／またはインタフェースを検索して起動するので、計算資源を無駄に消費することをより確実になくし、相手機器に対するレスポンスをより確実に速くすることが可能となる。また、初めてアクセスしてきた相手機器に対しても、計算資源を無駄に消費することなく、当該相手機器に対するレスポンスを速くすることが可能となる。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】